(57)【特許請求の範囲】
【請求項１】
挿入部と、挿入部の先端に着脱自在に構成される先端アダプタと、を有する内視鏡装置において、
前記先端アダプタには、
所定の周波数特性を有する第１発光素子群と、
前記第１発光素子群と並列接続されるとともに、前記第１発光素子群と極性を異にして接続され、前記第１発光素子群とは異なる周波数特性を有する第２発光素子群と、
前記第１発光素子群と並列接続される電流低下用抵抗と、
前記電流低下用抵抗と直列接続されると共に、前記第１発光素子群に供給される電流と同じ方向に流れる電流を前記電流低下用抵抗に流し、前記第１発光素子群に供給される電流とは逆方向に流れる電流であって、前記第２発光素子群に供給される電流と同じ方向に流れる電流を前記電流低下用抵抗に流さないダイオードと、
が備えられ、
前記挿入部の基端側には、
前記第１発光素子群の駆動中は前記第２発光素子群に流れる電流を抑制する第１状態と、前記第２発光素子群の駆動中は前記第１発光素子群に流れる電流を抑制する第２状態とを選択可能に、前記第１発光素子群と前記第２発光素子群に供給する電流が互いに逆向きになるように制御する電源制御部が備えられることを特徴とする内視鏡装置。
【請求項２】
前記第１発光素子群の周波数は、
前記第２発光素子群の周波数と異なる分光分布を有する
ことを特徴とする請求項１に記載の内視鏡装置。
【請求項３】
前記第１発光素子群の周波数、及び前記第２発光素子群の周波数は、
単一ピーク波長で構成されている
ことを特徴とする請求項２に記載の内視鏡装置。
【請求項４】
前記第１発光素子群の周波数、及び前記第２発光素子群の周波数は、
帯域波長で構成されている
ことを特徴とする請求項２に記載の内視鏡装置。
【請求項５】
前記第１発光素子群の周波数特性、及び前記第２発光素子群の周波数特性は、
色温度が異なるものである
ことを特徴とする請求項２に記載の内視鏡装置。
【請求項６】
前記二種類の発光素子群のうちの一方は、
通常可視光を発光するものであり、他方は紫外線若しくは赤外線を発光するものであることを特徴とする請求項１乃至請求項５のいずれかに記載の内視鏡装置。
【発明の詳細な説明】
【技術分野】
【０００１】
内視鏡装置に関する。
【背景技術】
【０００２】
従来、医療分野及び工業分野において内視鏡装置が広く利用されている。医療分野において用いられる内視鏡装置は、細長い挿入部を被検体の体腔内に挿入することによって体腔内の臓器等を観察したり、必要に応じて処置具挿通チャンネル内に挿入した処置具を用いて各種の処置を施す等に利用される。
【０００３】
また、工業用分野において用いられる内視鏡装置は、細長い挿入部を被検体であるエンジン等の機械装置や工場配管等の内部に挿入することによって被検体内の傷や腐蝕等を観察したり、各種の処置等を行うのに利用される。
【０００４】
このように内視鏡装置の観察対象となる部位は、暗所であるのが普通であることから、体腔内や機器内部へと挿入部を挿入し所望の観察対象部位へと導くと共に、所望の観察対象部位を照明するための光源が必要となる。
【０００５】
従来の内視鏡装置においては、内視鏡の挿入部の先端部に発光ダイオード（ＬＥＤ）等の発光素子を設け、この発光素子を光源として観察対象部位を照射するように構成された照明装置を具備するものが種々提案されている。
【０００６】
一般に、光源としての発光ダイオード（ＬＥＤ）は、通常の照明光源として使用される電球等のランプと比較して長寿命、低消費電力であることが知られている。
【０００７】
また、発光ダイオード（ＬＥＤ）は、可視光領域の波長の光の発光をするものだけでなく、例えば紫外光や赤外光等の波長領域の光を発光し得るものがある。
【０００８】
そこで、従来の工業用の内視鏡装置を用いて管内検査等を行う際の非破壊検査の１つとして蛍光探傷検査というものがある。この蛍光探傷検査は、通常の可視光による目視観察では発見が困難となる微細亀裂等を探傷するためになされる検査である。具体的には、例えば航空機のエンジンブレード等の観察対象物の表面に生じた微細な亀裂等による部材欠陥を発見する際等に行われる。
【０００９】
この蛍光探傷検査は、次のようにしてなされる。即ち、まず観察対象物の表面に蛍光剤を塗布する。該対象物の表面に微細亀裂等が生じていれば、その欠陥部分から蛍光剤が浸透することになる。したがって、観察対象物の表面に蛍光剤を塗布し、余分な蛍光剤を除去した後に、紫外光を照射すると、紫外光により励起された光（蛍光）が蛍光剤から発することになる。この蛍光を観察することによって、観察対象物の表面の欠陥の有無を検査することができるというものである。
【００１０】
一方、従来の内視鏡装置においては、内視鏡の挿入部の先端部位に設けられる先端部を着脱自在に構成したアダプタ式の内視鏡が種々提案されている。
【００１１】
このような形態のアダプタ式内視鏡における先端部には、照明光源と撮像光学系等を備えて構成し、この先端部を内視鏡挿入部の先端側に捩じ込み等の締結手段を用いて着脱し得るようにしている。そして、先端部と内視鏡挿入部の先端側とを締結する際には、先端部側の電気接点と挿入部側の電気接点とが接触することで、両者の電気的な接続が確保されるように構成されている。
【００１２】
例えば、図１４〜図１６は、従来のアダプタ式内視鏡における先端アダプタを示す図である。このうち、図１４は、従来のアダプタ式内視鏡における先端アダプタの側断面図である。図１５は、図１４の先端アダプタの構成部材のうち照明ユニットの正面図を示している。なお、図１４は、図１５の［１４］−［１４］に沿う線で切断した側断面を示している。図１６は、従来のアダプタ式内視鏡における照明ユニット関連の電気的な接続を簡易的に示す回路図である。
【００１３】
図１４，図１５に示すように、この従来のアダプタ式内視鏡の先端アダプタ１１０は、着脱リング１１２と、照明ユニット１１３と、撮像光学ユニット１１５等によって主に構成されている。
【００１４】
着脱リング１１２の内周面には、雌ネジからなるネジ溝１１２ａ，１１２ｂが設けられている。このネジ溝１１２ａ，１１２ｂは、内視鏡挿入部（図示せず）の先端部側に設けられる雄ネジに螺合し得るように形成されている。これにより、先端アダプタ１１０は挿入部の先端部に対して着脱自在となっている。
【００１５】
照明ユニット１１３は、照明ユニット枠１１３ａと、複数の発光素子であるＬＥＤチップ１１３ｂと、照明用基板１１３ｃと、連結部材１１３ｄと、蛍光体分散樹脂１１３ｅと、保護用コーティング樹脂１１３ｋ等によって主に構成されている。
【００１６】
照明用基板１１３ｃは、照明ユニット枠１１３ａの先端寄りの部位に内挿されている。照明用基板１１３ｃの実装面上には電極パターン１１３ｆが形成されており、この電極パターン１１３ｆに対してＬＥＤチップ１１３ｂはボンディングワイヤ等によって電気的に接続されている。そして、照明用基板１１３ｃの前面側において、ＬＥＤチップ１１３ｂを覆うように蛍光体分散樹脂１１３ｅが設けられている。さらに、この蛍光体分散樹脂１１３ｅの前面を覆うように保護用コーティング樹脂１１３ｋが設けられている。
【００１７】
照明用基板１１３ｃの裏面には、前面側の電極パターン１１３ｆと電気的に接続される２つの接点部１１３ｇに対してそれぞれに対応する２つの連結部材１１３ｄが接続されている。この連結部材１１３ｄは、先端アダプタ１１０が内視鏡挿入部の先端部（図示せず）に装着された時に、先端部側の電気接点と接触することによって、連結部材１１３ｄを介在として内視鏡挿入部と照明ユニット１１３との間の電気的な接続が確保されるようになっている。
【００１８】
撮像光学ユニット１１５は、複数の撮像レンズ１１５ｂと、レンズ保持筒１１５ａ等によって主に構成されている。この撮像光学ユニット１１５は、照明ユニット１１３の照明ユニット枠１１３ａに内挿されている。
【００１９】
このように構成された従来の形態の内視鏡における先端アダプタにおいて、照明ユニット１１３の複数のＬＥＤチップ１１３ｂは、例えば図１６の回路図に示すような形態で電気的に接続されている。図１６に示す接続例では、４個のＬＥＤチップ１１３ｂを直列接続した２つのグループを並列接続した例を示している。
【００２０】
なお、図１６の回路図は、先端アダプタ１１０と、挿入部及び操作部からなる内視鏡１１６とが、連結部材１１３ｄを介して互いの電気接点が電気的に接続した状態を示している。
【００２１】
ここで、内視鏡１１６の例えば操作部内には電源制御部１２０が設けられていると共に、先端アダプタ１１０には装着状態識別用抵抗１１３ｒが設けられている。この装着状態識別用抵抗１１３ｒは、内視鏡１１６の先端部に対して先端アダプタ１１０が装着されたときに、電源制御部１２０によりその旨を検出し得るようにするために設けられているものである。
【００２２】
このような形態のアダプタ式内視鏡装置においては、例えば通常の可視光観察用の先端アダプタや蛍光観察用の先端アダプタ等、用途別に異なる光源をそれぞれ備えた複数種類の先端アダプタを用意しておけば、所望する検査用途に応じて適宜、対応する先端アダプタに交換することで、さまざまな種類の内視鏡検査に対応することが可能な内視鏡装置を実現できる。
【００２３】
しかしながら、上述したように、内視鏡装置の観察対象部位が暗所にある場合、内視鏡挿入部の先端部を所望の観察対象部位へと導く際には通常の可視光観察用の光源が適している一方、蛍光観察を行う際には蛍光観察用の光源が適する。したがって、例えば所望の観察対象部位が、奥まった場所にあるような場合であって蛍光探傷検査を行いたいといった場合には、上記した先端アダプタを交換する方法では対応しきれない場合がある。
【００２４】
そこで、例えば単一の先端アダプタにおいて、波長の異なる複数種類の光源を備え、光源種類を切り換えて場合に応じた照明光源を発光し得るようにすれば至便である。
【００２５】
例えば、図１７〜図１９は、従来のアダプタ式内視鏡において、上記従来のものとは異なる別の形態の先端アダプタの構成例を示す図である。このうち、図１７は、従来のアダプタ式内視鏡における別形態の先端アダプタの側断面図である。図１８は、図１７の先端アダプタの構成部材のうち照明ユニットの正面図を示している。なお、図１７は、図１８の［１７］−［１７］に沿う線で切断した側断面を示している。図１９は、従来のアダプタ式内視鏡において別の形態の先端アダプタにおける照明ユニット関連の電気的な接続を簡易的に示す回路図である。
【００２６】
この形態の先端アダプタ１１０Ａの構成は、上記従来の形態の先端アダプタ１１０と略同様である。この形態の先端アダプタ１１０Ａでは、二種類の光源と、これら２種の光源を選択的に点灯させるための二系統の照明回路とを有して構成され、これら二系統の回路を切り換える切換スイッチ１２１を内視鏡１１６の操作部内に具備して構成した点が異なる。
【００２７】
即ち、この形態の先端アダプタ１１０Ａにおいては、例えば通常可視光を発光する複数のＬＥＤチップ１１３ｂ１と、例えば紫外光を発光する複数のＬＥＤチップ１１３ｂ２と、これら複数のＬＥＤチップ１１３ｂ１，１１３ｂ２を実装するパターンを形成した照明用基板１１３Ａｃと、３つの連結部材１１３ｄ等を有して構成される。
【００２８】
本例では、図１８，図１９に示すように、４個のＬＥＤチップ１１３ｂ１を直列接続させてなる回路と、４個のＬＥＤチップ１１３ｂ２を直列接続させてなる回路との二系統の照明用回路を形成している。これに合わせて、照明用基板１１３ｃの実装面上の電極パターン１１３ｆも設定されている。そして、照明用基板１１３Ａｃの裏面には、３つの接点部１１３ｇが形成されていて、これら３つの接点部１１３ｇに対応させて３つの連結部材１１３ｄが設けられる。これにより、先端アダプタ１１０Ａと内視鏡挿入部の先端との間は、上記３つの連結部材１１３ｄを介して電気的に接続される。
【００２９】
内視鏡１１６の操作部内には、電源制御部１２０と、上記二系統の回路を選択的に切り換える切換スイッチ１２１が設けられている。その他の構成は、上述した従来のものと略同様である。なお、本例では、装着状態識別用抵抗１１３ｒの図示は省略している。
【００３０】
このように構成された従来のアダプタ式内視鏡装置における別の形態の内視鏡の先端アダプタ１１０Ａでは、内視鏡１１６の操作部内に設けた切換スイッチ１２１の切り換え操作によって、上記二系統の回路を選択的に切り換えることができる。したがって、所望のタイミングで内視鏡１１６の操作部を手元側で切り換え操作することによって、例えば通常の可視光観察用のＬＥＤチップ１１３ｂ１を含む回路に通電させて通常光を発光させたり、蛍光観察用のＬＥＤチップ１１３ｂ２を含む回路に通電させて蛍光観察用の光を発光させることができる。  
なお、内視鏡装置における照明装置において、波長の異なる光を発光させる複数種類の光源を備え、各光源に対応する二系統の照明回路を構成し、各光源の光量をそれぞれ制御するという技術が、例えば特開２００７−１３９８２２号公報等によって種々のものが開示されている。  
【先行技術文献】
【特許文献】
【００３１】
【特許文献１】特開２００７−１３９８２２号公報
【発明の概要】
【発明が解決しようとする課題】
【００３２】
ところが、上述の従来の内視鏡装置における別の形態の先端アダプタの構成を採用した場合、例えば二系統の回路を切換スイッチ１２１の操作によって選択的に切り換えることができるのであるが、そのような回路を構成するために、限られたスペースしかない照明用基板１１３Ａｃの前面及び裏面に形成するパターン１１３ｆが複雑化してしまうと共に、３つの接点１１３ｇ及び３つの連結部材１１３ｄ等を新たに加えて構成する必要がある。  したがって、従来の内視鏡装置において、単一の内視鏡において先端部に複数種類の光源を備え、これら複数種類の光源を適宜切り換え得るように構成したものは、複雑化、太径化してしまうおそれがあった。
【００３３】
そこで、内視鏡挿入部の先端部に波長の異なる光を発光させる複数種類の発光素子群を具備する内視鏡を含む内視鏡装置において、複数種類の発光素子群の選択的な切り換えを簡単な構成で実現することが望まれていた。
【課題を解決するための手段】
【００３４】
本実施態様にかかる内視鏡装置は、挿入部と、挿入部の先端に着脱自在に構成される先端アダプタと、を有する内視鏡装置において、前記先端アダプタには、所定の周波数特性を有する第１発光素子群と、前記第１発光素子群と並列接続されるとともに、前記第１発光素子群と極性を異にして接続され、前記第１発光素子群とは異なる周波数特性を有する第２発光素子群と、前記第１発光素子群と並列接続される電流低下用抵抗と、前記電流低下用抵抗と直列接続されると共に、前記第１発光素子群に供給される電流と同じ方向に流れる電流を前記電流低下用抵抗に流し、前記第１発光素子群に供給される電流とは逆方向に流れる電流であって、前記第２発光素子群に供給される電流と同じ方向に流れる電流を前記電流低下用抵抗に流さないダイオードと、が備えられ、前記挿入部の基端側には、前記第１発光素子群の駆動中は前記第２発光素子群に流れる電流を抑制する第１状態と、前記第２発光素子群の駆動中は前記第１発光素子群に流れる電流を抑制する第２状態とを選択可能に、前記第１発光素子群と前記第２発光素子群に供給する電流が互いに逆向きになるように制御する電源制御部が備えられる。
【発明の効果】
【００３５】
本実施態様によれば、内視鏡挿入部の先端部に波長の異なる光を発光させる複数種類の発光素子群を具備する内視鏡を含む内視鏡装置において、複数種類の発光素子群の選択的な切り換えを簡単な構成で実現した内視鏡装置を提供することができる。
【図面の簡単な説明】
【００３６】
【図１】本発明の第１の実施形態の内視鏡装置の全体を示す外観斜視図。
【図２】図１の内視鏡装置における内視鏡の挿入部の先端アダプタのみを取り出して拡大して示す拡大斜視図。
【図３】図２の矢印［III］方向から見た先端アダプタの正面図。
【図４】図２の先端アダプタの側断面図であって、図５の［IV］−［IV］線に沿って切断した場合の断面を示す図。
【図５】図２の先端アダプタにおける照明用基板を取り出して示す照明用基板の前面側の平面図。
【図６】図５の照明用基板の裏面側の平面図。
【図７】図１の内視鏡における発光素子と電源との接続を簡易的に示す回路図。
【図８】本発明の第２の実施形態の先端アダプタの正面図。
【図９】図８の先端アダプタの側断面図であって、図１０の［IX］−［IX］線に沿って切断した場合の断面を示す図。
【図１０】図８の先端アダプタにおける照明用基板を取り出して示す前面側の平面図。
【図１１】図１０の照明用基板の裏面側の平面図。
【図１２】本発明の第２の実施形態の内視鏡装置における発光素子と電源との接続を簡易的に示す回路図。
【図１３】本発明の第３の実施形態の内視鏡装置における発光素子と電源との接続を簡易的に示す回路図。
【図１４】従来のアダプタ式内視鏡における先端アダプタの側断面図であって図１５の［１４］−［１４］線で切断した断面を示す図。
【図１５】図１４の先端アダプタにおける照明用基板の正面図。
【図１６】図１４の内視鏡における発光素子と電源との接続を簡易的に示す回路図。
【図１７】従来の別の形態のアダプタ式内視鏡における先端アダプタの側断面図であって図１８の［１７］−［１７］線で切断した断面を示す図。
【図１８】図１７の先端アダプタにおける照明用基板の正面図。
【図１９】従来の別の形態の内視鏡における発光素子と電源との接続を簡易的に示す回路図
【発明を実施するための形態】
【００３７】
以下、図示の実施の形態によって本発明を説明する。
【００３８】
［第１の実施形態］
図１〜図７は、本発明の第１の実施形態を示す図である。このうち、図１は本発明の第１の実施形態の内視鏡装置の全体を示す外観斜視図である。図２は、図１の内視鏡装置における内視鏡の挿入部の先端アダプタのみを取り出して拡大して示す拡大斜視図である。図３は、図２の矢印［III］方向から見た先端アダプタの正面図である。図４は、図２の先端アダプタの側断面図である。なお、図４は、図５の［IV］−［IV］線に沿って切断した場合の断面を示している。図５，図６は、図２の先端アダプタにおける照明用基板を取り出して示す平面図である。このうち、図５は照明用基板の前面側の平面図である。図６は照明用基板の裏面側の平面図である。図７は、図１の内視鏡における発光素子と電源との接続を簡易的に示す回路図である。
【００３９】
上記各実施形態の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００４０】
まず、本実施形態の内視鏡装置１の全体構成を図１によって以下に簡単に説明する。
【００４１】
図１に示すように、本実施形態の内視鏡装置１は、挿入部２及び操作部３からなる内視鏡と、装置本体４とによって主に構成されている。
【００４２】
また、本実施形態の内視鏡装置１における内視鏡は、挿入部２の先端部位の構成部位を着脱自在に構成したアダプタ式の内視鏡である。
【００４３】
内視鏡の挿入部２は、観察対象物となるエンジン等の内部に挿入されるものである。この挿入部２は、先端側から順に先端アダプタ１０，先端部６，湾曲部７，可撓管部８が連設された形態で構成されている。
【００４４】
先端アダプタ１０は、内部に撮像光学系や照明光源を具備し、先端部６に対して図１における矢印Ａ方向に着脱自在に構成されている。先端アダプタ１０の詳細構成については後述する。
【００４５】
先端部６は、先端アダプタ１０と湾曲部７との間を着脱自在とするジョイント部を構成している。そのために、先端アダプタ１０のネジ溝１２ａ，１２ｂ（後述する；図４参照）に螺合する雄ネジが先端部６の外周面上に形成されている。また、先端部６には、例えばＣＣＤ，Ｃ−ＭＯＳ等の撮像素子が内蔵されている。
【００４６】
湾曲部７は、先端部６の基端側に一体に連設されている。湾曲部７は、図示しない関節駒を連設して形成されており、例えば上下左右の４方向に湾曲自在に構成されている。なお、湾曲部７の詳細な構成は、本発明とは直接関連しない点であるので、従来の内視鏡における同等の構成を有するものとして、その説明を省略する。
【００４７】
可撓管部８は、湾曲部７の基端側に一体に連設されている。可撓管部８は、可撓性を有し、細長のチューブ状に形成されている。可撓管部８の基端側は、操作部３に連設されている。
【００４８】
操作部３は、各種の操作部材を複数備えると共に、使用者が把持する把持部３ｈを有して構成されている。操作部３は、ユニバーサルケーブル９を介して装置本体４と接続されている。
【００４９】
後述する図７の回路図の説明の際に詳述するが、操作部３には、電源制御部２０が内蔵されている。また、操作部３に設けられる操作部材の一つとして、後述する光源切換スイッチに作用する光源切換操作部材（図中特に指示せず）が含まれているものとする。なお、上記電源制御部２０の配置は、操作部３内に限ることはなく、この例とは別に、例えば装置本体４の内部に設けるようにしてもよい。
【００５０】
装置本体４は、カメラコントロールユニット（ＣＣＵ），記録装置，表示モニタ４ｍ，電源ユニット等によって主に構成されている。
【００５１】
カメラコントロールユニットは、先端部６の内部に設けられる撮像素子に対する制御信号を出力したり、この撮像素子からの出力信号を受信する等の撮像関係の各種信号処理を行うユニットである。
【００５２】
記録ユニットは、処理画像情報を始めとした各種の情報等を記録するユニットである。
【００５３】
表示モニタ４ｍは、カメラコントロールユニットによって信号処理された結果得られる画像や各種の情報を可視化して表示するための表示装置である。
【００５４】
電源ユニットは、例えばカメラコントロールユニットや表示モニタ４ｍ等の各ユニットに対して電力を供給するユニットであって、バッテリー等を含んで構成される。
【００５５】
ユニバーサルケーブル９は、内視鏡の操作部３と装置本体４との間を電気的に接続するケーブルであって、例えば挿入部２の先端部６内の撮像素子との間を接続する信号線（不図示）や先端アダプタ１０内の照明ユニット１３（後述する；図２，図４参照）へと電力を供給する電力線等が挿通されている。
【００５６】
次に、本実施形態の内視鏡装置１における先端アダプタ１０の構成を図２〜図７を用いて以下に詳述する。
【００５７】
先端アダプタ１０は、着脱リング１２と、照明ユニット１３と、撮像光学ユニット１５等によって主に構成されている。
【００５８】
図４に示すように、着脱リング１２は略管状に形成され、内周面にネジ溝１２ａ，１２ｂが設けられている。このネジ溝１２ａ，１２ｂは、上述したように内視鏡の挿入部２の先端部６（図１参照）側に設けられる雄ネジに螺合し得るように形成されている。これにより、先端アダプタ１０は挿入部２の先端部６の先端側に対して着脱自在となっている。
【００５９】
照明ユニット１３は、略管状に形成される照明ユニット枠１３ａと、照明光源となる複数の発光素子（以下、ＬＥＤチップという）１３ｂと、複数のＬＥＤチップ１３ｂ１，１３ｂ２が実装される照明用基板１３ｃと、照明用基板１３ｃの実装面の裏面側の複数の接点部１３ｇに接続される複数の連結部材１３ｄと、ＬＥＤチップ１３ｂ１の前面側を覆うように設けられる蛍光体分散樹脂１３ｅと、この蛍光体分散樹脂１３ｅの前面を覆う保護用のコーティング樹脂１３ｋ等によって主に構成されている。
【００６０】
なお、図２においては、複数のＬＥＤチップ１３ｂの配置を示すために、蛍光体分散樹脂１３ｅ及び保護用コーティング樹脂１３ｋの図示を省略している。
【００６１】
照明光源としてのＬＥＤチップ１３ｂは、許容される電流値が一定の場合、できるだけ多数を密に実装する程、得られる照明光量が大きくなるのは周知である。したがって、複数のＬＥＤチップ１３ｂ１，１３ｂ２の実装個数は、本実施形態を説明する図面に示される数（８個を例示している）に限られることはなく、基板面積、又は回路設計により任意に設定することができる。
【００６２】
本実施形態における照明光源としての発光素子としては、例えば波長の異なる光（周波数特性の異なる光，異なる分光分布，異なる単一ピーク波長，異なる帯域波長，異なる色温度等）を発光させる少なくとも二種類の発光素子である複数のＬＥＤチップ１３ｂ１，１３ｂ２をそれぞれ同数具備している。
【００６３】
このうち一方の種類のＬＥＤチップ１３ｂ１としては、例えば可視光領域の波長の光を発光するものが適用される。このＬＥＤチップ１３ｂ１は、例えば白色の可視光を発生させるＬＥＤであり、観察対象物の管腔内等の暗所中において所望の観察部位へと導く際や通常の可視光観察を行う際に用いられる。
【００６４】
また、他方の種類のＬＥＤチップ１３ｂ２としては、例えば紫外光や赤外光等の波長領域の光を発光し得るものが適用される。このＬＥＤチップ１３ｂ２は、観察対象物における所望の観察部位の蛍光探傷検査等の蛍光観察や赤外光観察等を行う際に用いられる。
【００６５】
なお、本実施形態においては、可視光観察用のＬＥＤチップ１３ｂ１と、蛍光観察用のＬＥＤチップ１３ｂ２をそれぞれ４個ずつ照明用基板１３ｃ上に実装した例を示している。そして、本実施形態における照明ユニット１３は、４個のＬＥＤチップ１３ｂ１からなる一群と、４個のＬＥＤチップ１３ｂ２からなる一群との２つのグループの発光素子を有している。
【００６６】
これら複数のＬＥＤチップ１３ｂ１，１３ｂ２は、照明用基板１３ｃの実装面上に形成された複数の電極パターン１３ｆに対してボンディングワイヤ等によって電気的に接続されている。
【００６７】
これらの複数のＬＥＤチップ１３ｂ１，１３ｂ２は、照明用基板１３ｃの実装面上において図５の符号Ｂで示す二点鎖線で描かれる円上に沿って並べて配置されている。この二点鎖線Ｂは、照明用基板１３ｃの実装面上において、最外周縁と開口１３ｈの外周縁との間の基板上の略中間を通る円を想定している。
【００６８】
また、各ＬＥＤチップ１３ｂ１，１３ｂ２は、照明用基板１３ｃの実装面上において接点部１３ｇの形成されている領域を除く領域に、上記二点鎖線Ｂの円上に沿って、かつ２つのグループが対象となるように配置されている。そして、各グループ内においては、個々のＬＥＤチップ１３ｂ１同士又は個々のＬＥＤチップ１３ｂ２同士は、図５の符号Ｐ１で示すように略等間隔となるように配置されている。
【００６９】
照明用基板１３ｃは、例えば、略リング形状に形成されていて、その略中央部分には撮像レンズ１５ｂ（後述する；図３，図４参照）の前面を露呈させて観察対象物からの光束を先端アダプタ１０内へと導く開口１３ｈが穿設されている。この照明用基板１３ｃは、照明ユニット枠１３ａの先端寄りの部位に内挿されている。照明用基板１３ｃが照明ユニット枠１３ａに装着された状態においては、照明用基板１３ｃの実装面、即ちＬＥＤチップ１３ｂが実装されている面が、前面に向けて露呈するようになっている。そして、照明用基板１３ｃの前面側には、ＬＥＤチップ１３ｂ１を覆うように蛍光体分散樹脂１３ｅが設けられている。さらに、蛍光体分散樹脂１３ｅの前面側には、これを覆うように保護用コーティング樹脂１３ｋが設けられている。すなわち、ＬＥＤチップ１３ｂ１が青色を発光する素子である場合は、ＬＥＤチップ１３ｂ１に蛍光体分散樹脂１３ｅを覆うことにより白色光とすることができる。
【００７０】
また、照明用基板１３ｃの裏面側には、同基板１３ｃの前面側に設けられる電極パターン１３ｆに対してスルーホールを介して電気的に接続される２つの接点部１３ｇが設けられている。この２つの接点部１３ｇは、照明用基板１３ｃの開口１３ｈを挟んで略対向する位置に、径方向に角度約１８０度離して配置している。そして、この２つの接点部１３ｇには、それぞれに連結部材１３ｄが接続されている。
【００７１】
この連結部材１３ｄは、先端アダプタ１０が内視鏡の挿入部２の先端部６（図１参照）に装着された時に、先端部６の内部に設けられる電気接点（図示せず）と接触するようになっている。これによって、先端アダプタ１０の照明ユニット１３は、連結部材１３ｄを介して内視鏡の挿入部２と電気的に接続されている。先端部６の電気接点（不図示）は、挿入部２，操作部３，ユニバーサルケーブル９を挿通して装置本体４の内部へと延出される信号線，電力線と電気的に接続されている。これにより、先端アダプタ１０の照明ユニット１３は、装置本体４の電源ユニットや制御ユニット等との間で電気的に接続されている。
【００７２】
撮像光学ユニット１５は、直視型の撮像光学系を構成する複数の撮像レンズ１５ｂと、これら複数の撮像レンズ１５ｂを固定保持するレンズ保持筒１５ａ等によって主に構成されている。
【００７３】
本実施形態においては、撮像レンズ１５ｂは三枚の光学レンズで構成している。そして、これら三枚の光学レンズ（撮像レンズ１５ｂ）は、所定の間隔を置いて光軸に沿う方向に並べて配置され、レンズ保持筒１５ａの内部においてそれぞれが接着剤等を用いて固定保持されている。そして、この撮像光学ユニット１５は、照明ユニット１３の照明ユニット枠１３ａに内挿されている。
【００７４】
このように構成される本実施形態の内視鏡装置１における先端アダプタ１０の照明ユニット１３と、挿入部２及び操作部３からなる内視鏡１６との間の電気的な接続は、例えば図７の回路図に示すような形態となっている。
【００７５】
図７において、先端アダプタ１０の照明ユニット１３と挿入部２の先端部との間は、連結部材１３ｄを介して電気的に接続される。挿入部２の基端側に連設される操作部３は、光源切換スイッチ３ａと電源制御部２０とを含む駆動制御部を有している。光源切換スイッチ３ａは、操作部３に設けられる複数の操作部材のうちの光源切換操作部材の操作により作用するスイッチ手段である。この場合において、光源切換スイッチ３ａと光源切換操作部材とによって、光源切換操作手段が構成される。
【００７６】
なお、光源切換スイッチ３ａは、図７に示すように、機械的な電気部品によって構成してもよいし、これに代えて、電源制御部２０により制御する電気的なスイッチ回路によって構成してもよい。
【００７７】
また、先端アダプタ１０の照明ユニット１３は、上述したように、二種類のＬＥＤチップ１３ｂ１，１３ｂ２が、それぞれ複数（図示の例では各４個）有している。そして、先端アダプタ１０は、装着状態識別用抵抗１３ｒを具備している。この装着状態識別用抵抗１３ｒは、内視鏡１６の挿入部２の先端部に対して先端アダプタ１０が装着されたときに、電源制御部２０によりその旨を検出する電気部品である。
【００７８】
二種類のＬＥＤチップ１３ｂ１，１３ｂ２は、図７に示す接続例では、複数（４個）のＬＥＤチップ１３ｂ１を直列接続した一群（第１発光素子群）と、複数（４個）のＬＥＤチップ１３ｂ２を直列接続した一群（第２発光素子群）との２つのグループを並列接続している。
【００７９】
このような回路構成によって、ＬＥＤチップ１３ｂ１の直列群の回路中における向きＶ１と、ＬＥＤチップ１３ｂ２の直列群の回路中における向きＶ２とは、互いに対して逆向きとなる。つまり、第１発光素子群と第２発光素子群とは極性を異にして接続されている。したがって、これにより各グループ（群）を流れる電流の方向は互いに対して逆方向となる。
【００８０】
複数のＬＥＤチップ１３ｂ１，１３ｂ２が、このような形態で配列された図７に示す回路において、例えば可視光観察用のＬＥＤチップ１３ｂ１を発光させる場合には、操作者による光源切換スイッチ３ａの所定の操作がなされることにより、図７の回路中におけるスイッチ３ａの接点レバーＳ１が操作部３内の回路接点Ｔ２に接続され、かつスイッチ３ａの接点レバーＳ２が操作部３内の回路接点Ｔ１に接続されたものとする。
【００８１】
この状態で、図７の回路において、電源制御部２０のプラス（＋）側から所定の電流が矢印Ｖ方向に流れると、同回路中において電流は、接点レバーＳ１から回路接点Ｔ２を経て連結部材１３ｄを介して一群のＬＥＤチップ１３ｂ１を矢印Ｖ１方向に流れて、これらのＬＥＤチップ１３ｂ１を発光させる。その後、電流は、別の連結部材１３ｄを通って回路接点Ｔ１から接点レバーＳ２を経て電源制御部２０のマイナス（−）側へと戻る。これにより、内視鏡装置１は、可視光観察を行い得る状態（第１状態）になる。
【００８２】
一方、蛍光観察用のＬＥＤチップ１３ｂ２を発光させる場合には、操作者による光源切換スイッチ３ａの所定の操作がなされることにより、図７の回路中においてスイッチ３ａの接点レバーＳ１が操作部３内の回路接点Ｔ１に接続され、かつスイッチ３ａの接点レバーＳ２が操作部３内の回路接点Ｔ２に接続されたものとする。
【００８３】
この状態で、図７の回路において、電源制御部２０からプラス（＋）側から所定の電流が図７の矢印Ｖ方向へ供給されると、同回路中において電流は、接点レバーＳ１から回路接点Ｔ１を経て連結部材１３ｄを介して一群のＬＥＤチップ１３ｂ２を矢印Ｖ２方向に流れて、これらのＬＥＤチップ１３ｂ１を発光させる。その後、別の連結部材１３ｄを通って回路接点Ｔ２から接点レバーＳ２を経て電源制御部２０のマイナス（−）側に戻る。これにより、内視鏡装置１は、蛍光探傷検査等の蛍光観察を行い得る状態（第２状態）になる。
【００８４】
以上説明したように上記第１の実施形態によれば、単一の先端アダプタ１０における照明ユニット１３に二種類の発光素子、即ち可視光観察用の複数のＬＥＤチップ１３ｂ１と蛍光観察用の複数のＬＥＤチップ１３ｂ２とを備えると共に、操作部３に光源切換スイッチ３ａを設け、この光源切換スイッチ３ａに作用する光源切換操作部材を操作するのみで、上記二種類の発光素子のいずれか一方を選択的に使用し得る状態に切り換えることができる。
【００８５】
したがって、内視鏡装置１を用いて行う一連の観察作業の際に、先端アダプタ１０の交換をすることなく、操作部３の手元操作（光源切り換え操作）を行うことによって、通常の可視光観察と蛍光観察とを作業を中断することなく円滑に実行することができる。
【００８６】
ここで、蛍光観察に代えて、赤外光観察としてもよい。すなわち、通常の可視光観察と赤外光観察とを切り替えることにより、赤外光と反応するものを見ることができる。
【００８７】
［第２の実施形態］
次に、本発明の第２の実施形態の内視鏡装置について、以下に説明する。
【００８８】
図８〜図１２は、本発明の第２の実施形態を示す図である。このうち、図８は本実施形態の先端アダプタの正面図である。図９は、本実施形態の先端アダプタの側断面図である。なお、図９は、図１０の［IX］−［IX］線に沿って切断した場合の断面を示している。図１０，図１１は、本実施形態の先端アダプタにおける照明用基板を取り出して示す平面図である。このうち、図１０は照明用基板の前面側の平面図である。図１１は照明用基板の裏面側の平面図である。図１２は、本実施形態の内視鏡装置における発光素子と電源との接続を簡易的に示す回路図である。
【００８９】
本発明の第２の実施形態の内視鏡装置の全体構成は、上述の第１の実施形態と同様である。本実施形態においては、内視鏡の挿入部の先端アダプタにおける照明ユニットのＬＥＤチップの実装レイアウトが異なるのみである。つまり、本実施形態における照明用基板の電極パターンは、上述の第１の実施形態のものと異なる形態で形成しており、これによって照明系の回路構成を異ならせて構成している。したがって、本実施形態の以下の説明においては、上述の第１の実施形態とは異なる部位のみを詳述するに留め、その他の構成についての説明は省略する。なお、本実施形態を説明するのに際し必要となる上述の第１の実施形態と同様の構成部材には同じ符号を用い、上述の第１の実施形態の説明で用いた図面を参照するものとする。
【００９０】
本実施形態の内視鏡装置における先端アダプタ１０Ａは、着脱リング１２と、照明ユニット１３Ａと、撮像光学ユニット１５等によって主に構成されている。
【００９１】
着脱リング１２と撮像光学ユニット１５の構成は、上述の第１の実施形態と略同様である。
【００９２】
照明ユニット１３Ａは、上述の第１の実施形態と同様に、略管状に形成される照明ユニット枠１３Ａａと、複数のＬＥＤチップ１３ｂと、照明用基板１３Ａｃと、連結部材１３ｄと、蛍光体分散樹脂１３ｅと、保護用コーティング樹脂１３ｋ等によって主に構成されている。
【００９３】
このうち、連結部材１３ｄと、蛍光体分散樹脂１３ｅと、保護用コーティング樹脂１３ｋは、上述の第１の実施形態と全く同様のものが適用される。また、ＬＥＤチップ１３ｂ１，１３ｂ２自体も、上述の第１の実施形態で適用されるものと全く同様のものが適用されている。
【００９４】
ただし、本実施形態においては、照明用基板１３Ａｃの実装面上における複数のＬＥＤチップ１３ｂ１，１３ｂ２の実装形態が異なる。これに伴って、照明用基板１３Ａｃの実装面上に形成される電極パターン１３ｆ及び接点部１３ｇの配置が異なると共に、開口１３ｈの形状が多少異なる。したがって、撮像光学ユニット１５のレンズ保持筒１５ａの前面投影形状も、上述の第１の実施形態とは異なる形状となっているが、開口１３ｈやレンズ保持筒１５ａの形状の相違は、本発明の本質に直接関連しない部分である。
【００９５】
照明用基板１３Ａｃの実装面上における複数のＬＥＤチップ１３ｂ１，１３ｂ２の配置は、上述の第１の実施形態と同様である。即ち、複数のＬＥＤチップ１３ｂ１，１３ｂ２は、照明用基板１３Ａｃの実装面上において接点部１３ｇの形成されている領域を除く領域に、図１０の二点鎖線Ｂの円上に沿って所定の間隔Ｐ１を持って並べて配置されている。このとき、複数のＬＥＤチップ１３ｂ１，１３ｂ２は、二点鎖線Ｂの円上に沿って交互に配置している。
【００９６】
本実施形態における照明用基板１３Ａｃの電極パターン１３ｆは、照明用基板１３Ａｃの外周縁に沿うように形成される複数のパターンと、開口１３ｈの外周縁に沿うように形成される複数のパターンとによってなる（図１０，図１１参照）。そして、本実施形態においては、２つの接点部１３ｇは、開口１３ｈの外周縁に沿う複数のパターンのうちの２つのパターンに対して各別に接続されている。この場合において、２つの接点部１３ｇは、並設された形態で配置されている。
【００９７】
本実施形態においても、複数のＬＥＤチップ１３ｂ１，１３ｂ２は、照明光源としての発光素子であって、波長の異なる光を発光させる二種類の発光素子が適用されており、また、各ＬＥＤチップ１３ｂ１，１３ｂ２は、それぞれ同数設けている。
【００９８】
なお、本実施形態においても、ＬＥＤチップ１３ｂ１は可視光観察用であり、ＬＥＤチップ１３ｂ２は、蛍光観察用とし、それぞれ４個ずつを照明用基板１３Ａｃ上に実装した例を示している。
【００９９】
照明ユニット１３Ａにおける複数のＬＥＤチップ１３ｂ１，１３ｂ２は、例えば図１２の回路図に示すような形態で電気的に接続されている。即ち、図１２に示す接続例では、種類の異なるＬＥＤチップ１３ｂ１，１３ｂ２の１個ずつを互いに逆向きに並列接続した一群の発光素子群（グループ）を複数（本実施形態では４つ）直列接続している。
【０１００】
このような回路構成により、本実施形態においても、ＬＥＤチップ１３ｂ１の直列群の回路中における向きＶ１と、ＬＥＤチップ１３ｂ２の直列群の回路中における向きＶ２は、互いに対して逆向きとなる。したがって、これにより各グループを流れる電流の方向は互いに対して逆方向となる。このような形態によって複数のＬＥＤチップ１３ｂ１，１３ｂ２が配列された図１２に示す回路においても、上述の第１の実施形態と全く同様の作用となる。その他の構成は、上述の第１の実施形態と略同様である。また、蛍光体分散樹脂１３ｅは、ＬＥＤチップ１３ｂ１の表面に塗布することができる。
【０１０１】
以上説明したように上記第２の実施形態によれば、上述の第１の実施形態と同様の効果を得ることができる。
【０１０２】
また、本実施形態によれば、二種類の複数のＬＥＤチップ１３ｂ１，１３ｂ２は、照明用基板１３Ａｃの実装面上において、その径方向に配置するのに際して、それぞれ種類ごとに交互に配置し得るようにしたので、各種類の光源を選択的に発光させる際に、照射範囲や照射方向において偏り無く、常に効率的な配光特性を得ることができる。
【０１０３】
［第３の実施形態］
次に、本発明の第３の実施形態の内視鏡装置について、以下に説明する。
【０１０４】
本実施形態の内視鏡装置の基本的な構成は、上述の各実施形態の構成と略同様である。本実施形態においては、内視鏡の挿入部の先端アダプタにおける照明ユニットの回路構成が異なるのみである。したがって、本実施形態の以下の説明においては、上述の第１の実施形態とは異なる部位のみを詳述するに留め、その他の構成についての説明は省略する。なお、本実施形態を説明するのに際し必要となる上述の第１の実施形態と同様の構成部材には同じ符号を用い、上述の第１の実施形態の説明で用いた図面を参照するものとする。
【０１０５】
図１３は、本発明の第３の実施形態の内視鏡装置における発光素子と電源との接続を簡易的に示す回路図である。
【０１０６】
本実施形態における内視鏡装置は、上述の各実施形態と同様に、先端アダプタ１０Ｂ，挿入部２，操作部３等からなる内視鏡１６と、図示しない装置本体４（図１参照）等によって構成される。操作部３は、電源制御部２０Ｂを有して構成されている。
【０１０７】
本実施形態の内視鏡１６においては、上述の各実施形態における機械的な光源切換スイッチ３ａに代えて、電気的なスイッチ回路によって構成している。即ち、本実施形態においては、装置本体４のカメラコントロールユニット（ＣＣＵ）等によって電源制御部２０を電気的（ソフトウエア的）に制御して、電源制御部２０から照明ユニットへと供給する電流の方向を制御している。
【０１０８】
また、先端アダプタ１０Ｂは、上述の各実施形態と同様の構成部材に加えて、さらに、電流低下用抵抗１３ｕと、この電流低下用抵抗１３ｕに流れる電流の方向を規定するために整流作用を有するダイオードの電子素子（以下、ダイオード１３ｔという）を有している。
【０１０９】
電流低下用抵抗１３ｕは、種類の異なるＬＥＤチップ１３ｂ１，１３ｂ２の特性に合わせて流れる電流値を制御するための電流制御手段の一部を構成するものである。したがって、電流低下用抵抗１３ｕは、照明回路に適用するＬＥＤチップに応じた適正な抵抗値を持つものが、適宜適用される。
【０１１０】
なお、図１３においては、ＬＥＤチップ１３ｂ１，１３ｂ２は、図面の煩雑化をさけるために、それぞれ２個ずつのみを図示しているが、ＬＥＤチップ１３ｂ１，１３ｂ２の実装個数は、上述したように図面に示される数（各２個）に限られることはなく、回路設計により任意に設定することができるのは当然である。
【０１１１】
このような回路構成を有する本実施形態において、例えば可視光観察用のＬＥＤチップ１３ｂ１を発光させる場合には、操作者が光源切換操作部材を操作することにより生じる指示信号を受けて装置本体４のカメラコントロールユニット（ＣＣＵ）が電源制御部２０を電気的（ソフトウエア的）に制御して、図１３の矢印Ｖ１方向への電流を供給する。すると、同回路中において電流は、連結部材１３ｄを介して一群のＬＥＤチップ１３ｂ１を通過する矢印Ｖ１方向とダイオード１３ｔ，電流低下用抵抗１３ｕを通過する矢印Ｖ３方向とに分流する。したがって、複数のＬＥＤチップ１３ｂ１を流れる電流値は、電源制御部２０Ｂにより供給される電流値に対して低下する。このようにして、複数のＬＥＤチップ１３ｂ１が発光し、よって、内視鏡装置１は可視光観察を行い得る状態になる。
【０１１２】
一方、蛍光観察用のＬＥＤチップ１３ｂ２を発光させる場合には、操作者が光源切換操作部材を操作することにより生じる指示信号を受けて装置本体４のカメラコントロールユニット（ＣＣＵ）が電源制御部２０を電気的（ソフトウエア的）に制御して、図１３の矢印Ｖ２方向への電流を供給する。すると、同回路中において電流は、連結部材１３ｄを介して一群のＬＥＤチップ１３ｂ２を通過する矢印Ｖ２方向にのみ流れる。このとき、電流低下用抵抗１３ｕ側には、ダイオード１３ｔの作用によって電流は流れない。したがって、複数のＬＥＤチップ１３ｂ２を流れる電流値は、電源制御部２０Ｂにより供給される電流値と同等のものである。このようにして、複数のＬＥＤチップ１３ｂ２が発光し、よって、内視鏡装置１は蛍光探傷検査等の蛍光観察を行い得る状態になる。
【０１１３】
以上説明したように上記第３の実施形態によれば、上述の各実施形態と同様の効果を得ることができる。
【０１１４】
また、本実施形態によれば、種類の異なる発光素子を適正な電流値で発光させるための電流低下用抵抗１３ｕと、整流作用を持つダイオード１３ｔとを設けて構成している。この構成により、複雑な制御を行うことなく簡単な構成で、種類の異なる発光素子に対して常に適正な電流値で電力の供給を行なうことができる。
【０１１５】
なお、上述の各実施形態では、本発明をアダプタ式の内視鏡に適用した場合を例に挙げて説明しているが、本発明を適用し得るのはアダプタ式内視鏡のみに限られることはなく、先端部が挿入部と一体式の内視鏡に対しても同様に適用し得るのは当然である。
【０１１６】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【０１１７】
本発明は、工業分野の内視鏡装置だけでなく、医療分野の内視鏡装置にも適用することができる。
【符号の説明】
【０１１８】
１……内視鏡装置
２……挿入部
３……操作部
３ａ……光源切換スイッチ
４……装置本体
６……先端部
７……湾曲部
８……可撓管部
９……ユニバーサルケーブル
１０，１０Ａ，１０Ｂ，１１０，１１０Ａ……先端アダプタ
１２，１１２……着脱リング
１３，１３Ａ，１１３……照明ユニット
１３ａ，１３Ａａ，１１３ａ……照明ユニット枠
１３ｂ，１３ｂ１，１３ｂ２，１１３ｂ，１１３ｂ１，１１３ｂ２……ＬＥＤチップ
１３ｃ，１３Ａｃ，１１３ｃ，１１３Ａｃ……照明用基板
１３ｄ，１１３ｄ……連結部材
１３ｅ，１１３ｅ……蛍光体分散樹脂
１３ｆ，１１３ｆ……電極パターン
１３ｇ，１１３ｇ……接点部
１３ｈ……開口
１３ｋ，１１３ｋ……保護用コーティング樹脂
１３ｒ，１１３ｒ……装着状態識別用抵抗
１３ｔ……ダイオード
１３ｕ……電流低下用抵抗
１５，１１５……撮像光学ユニット
１５ａ，１１５ａ……レンズ保持筒
１５ｂ，１１５ｂ……撮像レンズ
１６，１１６……内視鏡
２０，２０Ｂ，１２０……電源制御部
１２１……切換スイッチ
【図１】
0005570802.tif 000002
【図２】
0005570802.tif 000003
【図３】
0005570802.tif 000004
【図４】
0005570802.tif 000005
【図５】
0005570802.tif 000006
【図６】
0005570802.tif 000007
【図７】
0005570802.tif 000008
【図８】
0005570802.tif 000009
【図９】
0005570802.tif 000010
【図１０】
0005570802.tif 000011
【図１１】
0005570802.tif 000012
【図１２】
0005570802.tif 000013
【図１３】
0005570802.tif 000014
【図１４】
0005570802.tif 000015
【図１５】
0005570802.tif 000016
【図１６】
0005570802.tif 000017
【図１７】
0005570802.tif 000018
【図１８】
0005570802.tif 000019
【図１９】
0005570802.tif 000020